(57)【要約】物体を拘束するための位置決め装置は、ベースプレート、取り付けプレート、および固定要素を含む。ベースプレートは、ガイドを含み得、取り付けプレートの突出部は、ガイドをスライドし、位置決め装置を開位置から閉位置に変更する。ベースプレートはまた、管状部材を受け入れるための受入部も含み、管状部材の動きは、受入部および固定要素によって閉位置に拘束される。位置決め装置はまた、動作中に閉位置を維持するのを助けるためのラッチも含み得る。
2021515731.tif 000002
【特許請求の範囲】
【請求項１】
物体を拘束するための位置決め装置であって、
上面と対向する底面とを接合する周辺部を含むベースプレートであって、前記周辺部は、背面部、２つの側壁、および中空部を取り囲んで受入部を生成する湾曲部を形成し、前記２つの側壁は各々、前記背面部に向かって延在するガイドを含む、ベースプレートと、
上面と対向する底面とを接合する周辺部を含む取り付けプレートであって、前記周辺部は、内面および外面を有する基部、および前記内面の両側に、前記内面の両側から延在する２つの側壁を形成し、前記２つの側壁は各々、突出部を含む、取り付けプレートと、
前記基部の前記内面から延在し、前記基部に向かって後退するように構成された固定要素と、を含み、
前記突出部は、前記ガイドと係合するように構成されており、それにより、前記ベースプレートと前記取り付けプレートとを位置合わせし、
前記固定要素および前記受入部は、管状部材を拘束するように適合されている、位置決め装置。
【請求項２】
前記突出部および前記ガイドが位置合わせされている場合、前記ベースプレートおよび前記取り付けプレートは、開位置から閉位置に移動するように位置決めされ、前記固定要素および前記受入部は、前記管状部材を前記閉位置に拘束する、請求項１に記載の位置決め装置。
【請求項３】
クラスプは、前記ベースプレートに固定されており、対向するキャッチは、前記取り付けプレートに固定されており、前記クラスプは、スイングアームを含み、前記スイングアームは、前記クラスプと係合するように、第１の位置から第２の位置に移動可能であり、それにより、前記ベースプレートおよび前記取り付けプレートを前記閉位置に固定する、請求項２に記載の位置決め装置。
【請求項４】
前記取り付けプレートの前記２つの側壁の各々は、開口部をさらに含み、前記突出部の一部分は、前記開口部に固定されている、請求項１に記載の位置決め装置。
【請求項５】
前記部分は、ペグであり、摩擦を使用して前記開口部に固定されている、請求項４に記載の位置決め装置。
【請求項６】
前記突出部の前記部分は、ねじ山を含み、前記開口部は、対向するねじ山を含む、請求項４に記載の位置決め装置。
【請求項７】
前記固定要素は、前記基部の開口を通って延在し、第１の端部および第２の端部を有する本体を含み、前記第１の端部は、前記基部の前記外面に隣接するノブを含み、前記第２の端部は、ねじ山、および前記第２の端部に取り付けられたチューブ接触部を含む、請求項１に記載の位置決め装置。
【請求項８】
前記基部の前記開口部は、前記第２の端部の前記ねじ山と一致する、対向するねじ山を含む、請求項７に記載の位置決め装置。
【請求項９】
前記本体は、ナットと前記ベースの前記内面との間に固定された弾性要素を含む、請求項７に記載の位置決め装置。
【請求項１０】
フロア、および形状を有する空洞を形成する直立した側壁を有する剛性ハウジングであって、前記ベースプレートは、前記剛性ハウジングに取り付けられている、剛性ハウジングと、
コンパートメントを有し、前記空洞の前記形状に一致するように適合された可撓性容器であって、前記可撓性容器は、前記管状部材が取り付けられた開口部を有し、前記管状部材は、前記コンパートメントの内部から前記コンパートメントの外部に液体を運ぶように構成されている、可撓性容器と、をさらに含む、請求項１に記載の位置決め装置。
【請求項１１】
前記ベースプレートの前記２つの側壁は、第２の中空部分を取り囲んで第２の受入部を生成する第２の湾曲部を含む、請求項１に記載の位置決め装置。
【請求項１２】
支持体内に物体を位置決めするための方法であって、
ベースプレートの受入部内に管状部材を位置合わせすることであって、前記ベースプレートは、ガイドを含む、位置合わせすることと、
固定要素を有する取り付けプレートを位置決めすることであって、前記取り付けプレートは、前記ベースプレートに隣接し、前記取り付けプレートから延在する突出部を前記ガイドと係合させる、位置決めすることと、
前記固定要素が前記管状部材に接触するまで、前記ガイドによって規定された経路に沿って、前記取り付けプレートを前記ベースプレート上にスライドさせることと、を含む、方法。
【請求項１３】
前記固定要素と前記受入部との間に生成される圧力を使用して、前記管状部材を拘束するステップをさらに含む、請求項１２に記載の方法。
【請求項１４】
前記固定要素は、前記取り付けプレートの内面から延在し、弾性要素を含む、請求項１３に記載の方法。
【請求項１５】
剛性ハウジング内に、コンパートメントを有する可撓性容器を受け入れるステップをさらに含み、前記可撓性容器は、前記剛性ハウジングの内部の形状に一致するように適合され、前記可撓性容器は、前記管状部材が取り付けられた開口部を有する、請求項１２に記載の方法。
【請求項１６】
前記管状部材に取り付けられた保持装置を開いて、前記コンパートメントの内部と前記コンパートメントの外部との間の流体連通を生成するステップをさらに含む、請求項１５に記載の方法。
【請求項１７】
前記保持装置は、クランプである、請求項１６に記載の方法。
【請求項１８】
前記ベースプレートは、上面と対向する底面とを接合する周辺部を含み、前記周辺部は、背面部、第１および第２の側壁、ならびに中空部を取り囲んで受入部を生成する湾曲部を形成する、請求項１６に記載の方法。
【請求項１９】
前記ガイドは、前記第１の側壁に取り付けられた第１のガイド、および前記第２の側壁に取り付けられた第２のガイドを含み、前記第１のガイドおよび前記第２のガイドは、前記背面部に向かって延在する、請求項１８に記載の方法。
【請求項２０】
前記取り付けプレートは、上面と対向する底面とを接合する周辺部を含み、前記周辺部は、内面および外面を有する基部、ならびに前記基部の両側に、および前記基部の両側から延在する第１の側壁および第２の側壁を形成する、請求項１２に記載の方法。
【請求項２１】
前記突出部は、前記取り付けプレートの前記第１の側壁に取り付けられた第１の突出部、および前記取り付けプレートの前記第２の側壁に取り付けられた第２の突出部を含む、請求項２０に記載の方法。
【請求項２２】
前記ベースプレートを前記取り付けプレートに固定するステップをさらに含む、請求項１２に記載の方法。
【請求項２３】
前記固定するステップは、前記ベースプレートに固定されたクラスプ、および前記取り付けプレートに固定された対向するキャッチを含むラッチを組み込み、前記クラスプは、スイングアームを含む、請求項２２に記載の方法。
【請求項２４】
前記スイングアームを第１の位置から第２の位置に移動させ、それにより前記キャッチと係合し、前記ベースプレートおよび前記取り付けプレートを閉位置に固定するステップをさらに含む、請求項２３に記載の方法。
【請求項２５】
前記固定要素を圧縮して前記管状部材を収容するステップをさらに含む、請求項１２に記載の方法。
【請求項２６】
物体を拘束するための位置決め装置であって、
受入部を含むベースプレートと、
固定要素を含む取り付けプレートであって、前記固定要素は、前記取り付けプレートから延在する、取り付けプレートと、を備え、
前記固定要素および前記受入部は、管状部材の動きを制限するように適合されている、位置決め装置。
【請求項２７】
液体分配システムであって、
管状部材と流体連通している可撓性容器であって、前記可撓性容器は、剛性ハウジング内に配置されている、可撓性容器と、
前記剛性ハウジングに取り付けられたチューブホルダであって、前記チューブホルダは、固定要素を有する、チューブホルダと、を含み、
前記管状部材は、前記チューブホルダ内に固定されており、前記固定要素と物理的に接触している、液体分配システム。
【請求項２８】
物体を拘束する方法であって、
ベースプレート内に管状部材を受け入れることと、
取り付けプレートを前記ベースプレートに接続することであって、前記取り付けプレートは、固定部材を含む、接続することと、
前記固定部材を使用して、前記管状部材を固定することと、を含む、方法。
【請求項２９】
容器から液体を除去する方法であって、
剛性ハウジング内に可撓性容器を収容することとであって、前記可撓性容器は、管状部材を含む、収容することと、
チューブホルダで前記管状部材の動きを制限することであって、前記チューブホルダは、前記管状部材と接触するための固定要素を含む、制限することと、
前記可撓性容器内から前記管状部材を通して前記液体を排出することと、を含む、方法。
【発明の詳細な説明】
【技術分野】
【０００１】
関連出願の相互参照
本出願は、２０１８年３月２日に出願された米国出願第６２／６３７，４６２号に対する優先権を主張し、その開示は、参照によりその全体が本明細書に組み込まれる。
【０００２】
本発明は、流体の貯蔵、移動、処理、および／または分配に使用するためのビンに関する。
【背景技術】
【０００３】
バイオ医薬品業界では、異なる種類の流体の研究、テスト、および最終製品の製造に、それらの流体を大量に使用している。そのような流体の例には、媒体、緩衝液、および試薬が含まれる。バイオ医薬品業界にとって重要なのは、望ましくない汚染を防止しながら、そのような流体を容易に輸送、処理、および分配する能力である。歴史的には、そのような液体は、ステンレス鋼の容器に入れられ、容器は、使用間に洗浄と滅菌が必要であった。タンク洗浄が繰り返される負担を回避するために、流体の貯蔵および分配に対する現在のアプローチは、流体分配ビンを利用している。
【０００４】
従来の流体分配ビンは、固定床を有するオープントップビンを含み、固定床は、そこを貫通して延在する固定ポートホールを含む。使い捨てバッグは、そこから延在する流体ラインを有し、流体ラインがポートホールから外へ延在するように、ビン内に配置されている。使い捨てバッグは、それを通過する流体の汚染を防止するために、事前に滅菌され得る。バッグが流体で満たされると、バッグは、所望の処理のための流体の供給準備を提供する。バッグが空になると、バッグは、洗浄されることなく新しい袋に交換され得る。
【０００５】
従来の液体分配ビンは、有用であるが、それらは、いくつかの欠点を有する。例えば、従来の流体分配ビンは、固定ポートホール構成を備えた固定床を有しているため、カスタマは、ビン製造から、ビンを収めるように設計されている対応するバッグを購入する必要がある。その結果、バッグがビン内に適切に収まらない場合があるという点で、カスタマは、他の生産者からバッグを購入する能力が限られている。さらに、ビンの性質が固定されているため、カスタマは、異なる処理条件または分配条件下でより有用であり得るカスタマイズされたバッグ設計を要求することができない。さらに、バッグは、しばしば、事前に組み立てられ、次いで、フィルタなどの他の構造体で滅菌される。しかしながら、フィルタまたは他の構造体がバッグから延在する流体ラインに固定されると、フィルタは、ビンの床の固定ポートホールを通過できないという点で、バッグは、ビンと共に使用できなくなる。
【０００６】
したがって、当技術分野では、幅広い範囲のバッグ設計およびバッグ組立体で容易に使用し得る流体分配ビンが継続的に必要とされている。
【０００７】
バイオ医薬品業界では、製品の処理のために使い捨てのメディアバッグを使用することがますます増えている。メディアバッグは、液体で満たされており、満たされたメディアバッグを入れるためのメディアバッグホルダを必要とする。メディアバッグは、様々な数量および構成の上部チューブと底部チューブの組み合わせを有し得る。底部チューブは、バッグホルダの底部を通過して、所定の位置に保持される手段を必要とする。メディアバッグチューブを収容するための従来の１つの方法は、バッグホルダの底部に固定穴を提供することであり、保持装置なしか、または簡素なクランプタイプの装置がバッグホルダの底部の下で穴と一直線上にある。
【０００８】
別の方法は、２つの可動底部部品であり、各々が必要な穴の半分を備え、これらを一緒にすると、メディアバッグチューブに固定される。メディアバッグホルダの底部にある固定穴では、チューブのサイズと位置の両方で、メディアバッグチューブの１つの構成のみが可能である。クランプ装置は、バッグホルダの底部に配置される必要があり、これは、バッグホルダの下に到達することを必要とするが、床から数インチしか離れておらず、見たりアクセスしたりすることが困難である。
【０００９】
２つの可動底部部品は、部品の交換を可能にし、様々なチューブ構成に対応するが、ロック装置を必要とし、バッグホルダの底部に配置する必要もあり、見たりアクセスしたりすることがしばしば困難である。
【発明の概要】
【００１０】
本明細書に記載されているのは、バッグの展開中にポートを集中させ、バッグが展開されるとポートが適切に機能するようにポートを所定の位置に固定する流体ライン保持器の実施形態である。排水の際、ポートの配置は、バッグの適切に排水する能力に影響を及ぼす。ビンの底部は、前部に向かって傾斜しており、ポートは、ビンの前部にあり、ポートホルダによって所定の位置に保持されている。ポートホルダは、複数の設計オプションを有し得る。一実施形態は、「ピンボール」式設計であり、ポートホルダに配置されるチューブのサイズに自動的に調整するためのばねを有する。他の実施形態は、ねじ式設計およびカバー式設計を含む。ねじ式およびピンボール式設計は、１．５インチ以下のチューブから調整し得るが、カバー式設計は、チューブを所定の位置に保持し得るだけである。
【図面の簡単な説明】
【００１１】
任意の特定の要素または行為の説明を容易に特定するために、参照番号の最上位の桁（複数可）は、その要素が最初にまたは最も明確に導入された図の番号を指す。
【００１２】
【図１】液体分配システム１００の実施形態の正面斜視図を示す。
【図２】キャビネット２００の実施形態の正面斜視図を示す。
【図３】キャビネット２００の実施形態の上面図を示す。
【図４】可撓性容器４００の実施形態を示す。
【図５】キャビネット２００の実施形態の拡張された斜視図を示す。
【図６】閉位置にあるピンボール式チューブホルダ６００の実施形態の上面斜視組立図を示す。
【図７】閉位置にあるピンボール式チューブホルダ６００の実施形態の底面斜視組立図を示す。
【図８】ピンボール式チューブホルダ６００の実施形態の上面斜視分解図を示す。
【図９】開位置にあるピンボール式チューブホルダ６００の実施形態の底面斜視組立図を示す。
【図１０】開位置にあるピンボール式チューブホルダ６００の実施形態の底面斜視組立図を示す。
【図１１】閉位置にあるピンボール式チューブホルダ６００の実施形態の底面斜視組立図を示す。
【図１２】閉位置にあるねじ式チューブホルダ１２００の実施形態の上面斜視組立図を示す。
【図１３】ねじ式チューブホルダ１２００の実施形態の上面斜視分解図を示す。
【図１４】閉位置にあるカバー式チューブホルダ１４００の実施形態の上面斜視組立図を示す。
【図１５】開位置にあるカバー式チューブホルダ１４００の実施形態の上面斜視組立図を示す。
【図１６】方法１６００の実施形態を示す。
【図１７】方法１７００の実施形態を示す。
【図１８】方法１８００の実施形態を示す。
【発明を実施するための形態】
【００１３】
図１〜図５を参照すると、液体分配システム１００は、剛性ハウジング１０２、位置決め装置１０４、および可撓性容器４００を含む。
【００１４】
剛性ハウジング１０２は、側壁３０２および床３０４を含み、可撓性容器４００を配置し得る空洞２０２を形成し得る。側壁３０２は、外面上では、直立しており、内面上では、剛性ハウジング１０２の上部から剛性ハウジング１０２の床３０４まで傾斜し得る。側壁３０２の傾斜および輪郭、ならびに剛性ハウジング１０２の上部に対する床３０４の位置は、可撓性容器４００が配置され得る空洞２０２の形状を決定する。液体分配システム１００は、さらなる構造要素を有し、床３０４からの高さを変更し、輸送性を提供し得る。
【００１５】
可撓性容器４００は、コンパートメント４０２を含み得、コンパートメント４０２は、液体４０６を保持し得、１つ以上の開口部４０４を有し得る。１つ以上の管状部材４０８が、各開口部４０４でコンパートメント４０２に結合され得る。液体４０６は、コンパートメント４０２から開口部４０４を通って管状部材４０８へと流れ得、管状部材４０８は、コンパートメント４０２の内部からコンパートメント４０２の外部へ液体を運び、可撓性容器４００から液体を除去する。液体４０６の流れは、保持装置４１０によって調整され得る。可撓性容器４００は、各角部で一緒に溶接されるパネルを有する立方体に類似して成形され得る。可撓性容器４００は、ポート、チューブ、タブなどをさらに有し得る。描写されているように、可撓性容器４００は、開放している上部４１２を有する。他の実施形態では、上部４１２は、閉鎖されている場合がある。可撓性容器４００は、剛性ハウジング１０２に取り付け得るさらなる構成要素、またはホイスト（描写せず）などの剛性ハウジング１０２の構成要素を有し、可撓性容器４００を剛性ハウジング１０２内に位置決めおよび配向し得る。複数の可撓性容器４００は、剛性ハウジング１０２内に配置され得る。可撓性容器４００は、剛性ハウジング１０２の空洞２０２内に配置され得、剛性ハウジング１０２によって決定される空洞２０２の形状に一致し得る。
【００１６】
位置決め装置１０４は、剛性ハウジング１０２に取り付けられている。位置決め装置１０４は、管状部材４０８などの１つ以上の物体に接触し、これを拘束することにより、支持体として機能し得る。１つ以上の位置決め装置１０４は、剛性ハウジング１０２に取り付けられ得る。位置決め装置１０４は、ベースプレート５０２、取り付けプレート５０４、および固定要素５０６をさらに含み得る。ベースプレート５０２は、剛性ハウジング１０２に取り付けられ得る。取り付けプレート５０４は、ベースプレート５０２に位置合わせされ、ベースプレート５０２に固定され得る。固定要素５０６は、取り付けプレート５０４から延在し得、取り付けプレート５０４に向かって後退するように構成され得る。ベースプレート５０２および固定要素５０６は、位置決め装置１０４が開位置から閉位置に変更される場合に、管状部材４０８の動きを抑制するように適合されている。位置決め装置１０４の例示的な実施形態は、図６〜図１５を参照して、ピンボール式チューブホルダ６００、ねじ式チューブホルダ１２００、およびカバー式チューブホルダ１４００として描写されている。
【００１７】
図６〜図１１を参照すると、ピンボール式チューブホルダ６００は、様々な図および位置で描写されている。ピンボール式チューブホルダ６００は、ベースプレート５０２、取り付けプレート５０４、固定要素５０６、およびラッチ７１０を含む。
【００１８】
ベースプレート５０２は、上面６０４を底面７０２に接合する周辺部６０２を含む。周辺部６０２は、背面部７０４、湾曲部８０２、および１つ以上の側壁８０８を有する。湾曲部８０２は、ベースプレート５０２の中空部分８０４を取り囲み、画定する。湾曲部８０２および中空部分８０４は、受入部８０６を形成する。描写されるように、ベースプレート５０２は、第２の受入部を形成する第２の中空部分を取り囲み、画定する第２の湾曲部を有する。受入部８０６の各々は、管状部材４０８を受け入れ得る。いくつかの実施形態では、ベースプレート５０２は、単一の受入部または複数の受入部を含み得る。各側壁８０８は、ガイド８１０を含み得る。ガイド８１０は、側壁８０８のくぼみに取り付けられ、ベースプレート５０２の前部からベースプレート５０２の背面部７０４に向かって延在し得る。各ガイド８１０は、突出部８１４を受け入れるように構成され得る。
【００１９】
取り付けプレート５０４は、周辺部６０６、上面６０８、および底面７０６を含む。周辺部６０６は、外面６１６および内面７０８を有する基部６１０、ならびに１つ以上の側壁６１２によって形成されている。基部６１０は、外面６１６から内面７０８への開口部８１２を有し得る。各固定要素５０６は、開口部８１２のうちの１つに配置され、基部６１０の内面７０８と外面６１６の両方から延在し得る。開口部８１２は、固定要素５０６のねじ山８２２と一致する対向するねじ山を有し得る。各側壁６１２は、１つ以上の開口部６１４を含み得、突出部８１４は、１つ以上の開口部６１４に取り付けられ、固定され得る。突出部８１４の一部分は、開口部６１４のうちの１つに固定され得る。一部分は、いくつかの実施形態では、開口部６１４の対向するねじ山と一致および係合するねじ山８１６であり得、または他の実施形態では、開口部６１４の摩擦を利用するペグであり得る。各突出部８１４は、ベースプレート５０２のガイド８１０と係合するように構成されている。
【００２０】
固定要素５０６は、第１の端部および第２の端部を有する本体８１８を含み、第１の端部にノブ８２０を備え、第２の端部にねじ山８２２を備える。ノブ８２０は、この実施形態では、ユーザによって把持され、取り付けプレート５０４の基部６１０の外面６１６から引き離されるように、人間工学的設計で構成されている。固定要素５０６は、本体８１８の第２の端部に取り付けられたチューブ接触部８２４、ナット８２６、および弾性要素８２８をさらに含む。弾性要素８２８は、ナット８２６と、取り付けプレート５０４の基部６１０の内面７０８との間に固定されている。
【００２１】
ピンボール式チューブホルダ６００が開位置にある間、管状部材４０８を受入部８０６のうちの１つの中に配置し得る。次いで、各突出部８１４は、対応するガイド８１０と位置合わせされる。このように位置合わせされると、固定要素５０６は、受入部８０６のうちの１つと位置合わせされる。複数の固定要素５０６および受入部８０６を備える実施形態では、各固定要素５０６は、受入部８０６のうちの対応するものと位置合わせされる。次いで、各突出部８１４を対応するガイド８１０に挿入して、ピンボール式チューブホルダ６００を閉位置に配置する。閉位置にある間、管状部材４０８は、受入部８０６のうちの１つと、固定要素５０６のチューブ接触部８２４と物理的に接触し得る。チューブ接触部８２４は、ナット８２６および弾性要素８２８と係合して、管状部材４０８を固定し得る。
【００２２】
ピンボール式チューブホルダ６００は、ラッチ７１０をさらに含み得る。ラッチ７１０は、クラスプ７１２、スイングアーム７１４、およびキャッチ７１６を含む。クラスプ７１２は、ベースプレート５０２の底面７０２に取り付けられており、キャッチ７１６は、クラスプ７１２に対向して、取り付けプレート５０４の底面７０６に取り付けられている。スイングアーム７１４は、第１の位置から第２の位置に移動可能であり、キャッチ７１６と係合し、ピンボール式チューブホルダ６００の閉位置への固定を助ける。他の実施形態では、ラッチ７１０は、ロックをさらに含む。ロックは、クラスプ７１２がベースプレート５０２の上面６０４に取り付けられており、キャッチ７１６が取り付けプレート５０４の上面６０８に取り付けられている実施形態などの様々な構成において、動作中に、ラッチ７１０が外れる（すなわち、スイングアーム７１４がキャッチ７１６から分離する）のを阻止するのを助けるように作用する。クラスプ７１２はまた、ばね仕掛けの、第２のタブと係合する第１のタブを含み得る。ばね仕掛けの第１のタブおよび第２のタブは、ピンボール式チューブホルダ６００の動作中にラッチ７１０が外れるのを阻止するのに役立つ。
【００２３】
図１２および図１３を参照すると、ねじ式チューブホルダ１２００は、組み立て図および分解図で描写されている。ねじ式チューブホルダ１２００は、ベースプレート５０２、取り付けプレート５０４、固定要素５０６、およびラッチ１３２２を含む。
【００２４】
ベースプレート５０２は、上面を底面に接合する周辺部を含む。ベースプレート５０２はまた、ガイド１３０２および受入部１３０４を含む。ベースプレート５０２は、第２のガイド（描写せず）を有し得る。ガイド１３０２は、ベースプレート５０２上に取り付けられるか、またはベースプレート５０２に凹んで形成され得、ベースプレート５０２の前部から後部に延在する。ベースプレート５０２は、２つ以上のガイド１３０２を含み得る。例えば、ガイド１３０２は、ベースプレート５０２の各側に位置付けられ得る。各ガイド１３０２は、取り付けプレート５０４の突出部１３０６のうちの１つを受け入れるように構成され得る。受入部１３０４のう各々は、管状部材４０８を受け入れ、管状部材４０８は、次いで、固定要素５０６によって受入部１３０４に固定され得る。
【００２５】
取り付けプレート５０４は、上面を底面に接合する周辺部、および１つ以上の突出部１３０６を含み得、突出部１３０６の各々は、周辺部の開口部１３０８のうちの１つに取り付けて固定され得る。突出部１３０６は、摩擦によって開口部１３０８に固定されるペグを有し得、または開口部１３０８内の対向するねじ山に一致して固定するねじ山を有し得る。取り付けプレート５０４はまた、開口部１３１０を含む。開口部１３１０は、固定要素５０６のねじ山１３１４と一致する対向するねじ山を有し得る。
【００２６】
固定要素５０６は、本体１３１２、ねじ山１３１４、ノブ１３１６、チューブ接触部１３１８、およびナット１３２０を含む。本体１３１２は、第１の端部および第２の端部を有する。第１の端部は、ノブ１３１６を有し、ノブ１３１６は、取り付けプレート５０４の基部の外面に隣接し得る。この実施形態では、ノブ１３１６は、ユーザによって把持され、ねじ山１３１４を開口部１３１０内の一致する対向するねじ山と係合させるように回転するように、人間工学的設計で構成されており、それにより、固定要素５０６のチューブ接触部１３１８を、取り付けプレート５０４の基部に向かって、またはそれから離れて平行移動させる。チューブ接触部１３１８は、受入部１３０４内の管状部材４０８を備えたベースプレート５０２と位置合わせされると、管状部材４０８に向かって平行移動し得る。次いで、管状部材４０８の動きは、チューブ接触部１３１８および受入部１３０４に物理的に接触することによって抑制される。
【００２７】
ラッチ１３２２は、クラスプ、スイングアーム、およびキャッチを含む。クラスプは、ベースプレート５０２に取り付けられており、キャッチは、クラスプに対向して、取り付けプレート５０４に取り付けられている。スイングアームは、第１の位置から第２の位置に移動可能であり、キャッチと係合し、ねじ式チューブホルダ１２００を閉位置に固定するように作用する。他の実施形態では、ラッチ１３２２は、ロックを含む。ロックは、クラスプがベースプレート５０２の上面に取り付けられており、キャッチが取り付けプレート５０４の上面に取り付けられている実施形態などの様々な構成において、動作中に、ラッチ１３２２が外れる（すなわち、スイングアームがキャッチから分離する）のを阻止するのを助けるように作用する。クラスプはまた、ばね仕掛けの、第２のタブと係合する第１のタブを含み得る。ばね仕掛けの第１のタブおよび第２のタブは、ねじ式チューブホルダ１２００の動作中にラッチ１３２２が外れるのを阻止するのを助ける。
【００２８】
図１４および図１５を参照すると、カバー式チューブホルダ１４００は、閉位置および開位置で描写されている。カバー式チューブホルダ１４００は、ベースプレート５０２および取り付けプレート５０４を含む。この実施形態では、固定要素５０６は存在せず、管状部材４０８は、ベースプレート５０２と取り付けプレート５０４との間に固定されている。
【００２９】
ベースプレート５０２は、上面を底面に接合する周辺部を含む。ベースプレート５０２は、ガイド１５０２を含み、それらの各々は、ノッチ１５０４を有する。ガイド１５０２および各ノッチ１５０４は、ベースプレート５０２の側壁に取り付けられるか、または凹んで形成され得る。ガイド１５０２およびノッチ１５０４は、取り付けプレート５０４の突出部１５０８を受け入れる。突出部１５０８は、ノッチ１５０４と位置合わせされるまで、対応するガイドに沿ってスライドする。次いで、突出部１５０８は、対応するノッチ１５０４内にスライドする。ノッチ１５０４は、そのガイドの下に配向されて、重力を利用して閉位置を維持するのを助け得る。各突出部１５０８は、ガイド１５０２に対してオフセットされ得、それにより、各突出部１５０８がガイド１５０２を通ってスライドするとき、取り付けプレート５０４は、ベースプレート５０２に対してオフセットされる。各突出部１５０８がその対応するノッチ１５０４内にスライドすると、取り付けプレート５０４およびベースプレート５０２の上面および底面は、互いに同一面であり得る。ベースプレート５０２は、１つ以上の受入部１５０６をさらに含み得る。受入部１５０６の各々は、管状部材４０８を受け入れ得る。管状部材４０８は、閉位置において取り付けプレート５０４によって固定され得る。
【００３０】
取り付けプレート５０４は、上面を底面に接合する周辺部、および１つ以上の突出部１５０８を含み得、各突出部１５０８は、周辺部に取り付けられ、固定され得る。いくつかの実施形態では、各突出部１５０８は、取り付けプレート５０４の周辺部と一体である。突出部１５０８はまた、取り付けプレート５０４の周辺部の開口部またはくぼみに摩擦によって固定されるペグであり得る。
【００３１】
いくつかの実施形態では、ラッチを利用して、ベースプレート５０２および取り付けプレート５０４を閉位置に維持する。ラッチは、ベースプレート５０２に取り付けられたクラスプ、および取り付けプレート５０４に取り付けられた対向するキャッチを有し得る。クラスプに取り付けられたスイングアームは、キャッチと係合するために、第１の位置から第２の位置に移動可能である。
【００３２】
図１６を参照すると、方法１６００は、コンパートメントを有する可撓性容器が剛性ハウジング内に受け入れられることを含み、可撓性容器は、剛性ハウジングの内部の形状に一致するように適合されており、可撓性容器は、管状部材が取り付けられた開口部を有する（ブロック１６０２）。管状部材は、ベースプレートの受入部内に位置合わせされ、ベースプレートは、ガイドを含む（ブロック１６０４）。固定要素を有する取り付けプレートであって、ベースプレートに隣接する取り付けプレートは、取り付けプレートから延在する突出部をガイドと係合させるように、位置決めされる（ブロック１６０６）。取り付けプレートは、固定要素が管状部材に接触するまで、ガイドによって規定された経路に沿ってベースプレート上にスライドされる（ブロック１６０８）。ベースプレートは、ラッチのスイングアームを第１の位置から第２の位置に移動させてキャッチと係合させることにより、取り付けプレートに固定される（ブロック１６１０）。管状部材は、固定要素と受入部との間に生成される圧力を使用して拘束され、固定要素は、管状部材を収容するように圧縮する（ブロック１６１２）。管状部材に取り付けられた保持装置を開いて、コンパートメントの内部とコンパートメントの外部との間の流体連通を生成する（ブロック１６１４）。液体は、コンパートメントの内部からコンパートメントの外部に排出される（ブロック１６１６）。
【００３３】
図１７を参照すると、方法１７００は、ベースプレート内に受け入れられる管状部材を含む（ブロック１７０２）。取り付けプレートは、ベースプレートに接続され、取り付けプレートは、固定部材を含む（ブロック１７０４）。管状部材は、固定部材を使用して固定される（ブロック１７０６）。
【００３４】
図１８を参照すると、方法１８００は、剛性ハウジング内に配置された可撓性容器を含み、可撓性容器は、管状部材を含む（ブロック１８０２）。管状部材の動きは、チューブホルダによって制限され、チューブホルダは、管状部材と接触するための固定要素を含む（ブロック１８０４）。可撓性容器内からの液体は、管状部材を通って排出される（ブロック１８０６）。
【図１】
2021515731.tif 000003
【図２】
2021515731.tif 000004
【図３】
2021515731.tif 000005
【図４】
2021515731.tif 000006
【図５】
2021515731.tif 000007
【図６】
2021515731.tif 000008
【図７】
2021515731.tif 000009
【図８】
2021515731.tif 000010
【図９】
2021515731.tif 000011
【図１０】
2021515731.tif 000012
【図１１】
2021515731.tif 000013
【図１２】
2021515731.tif 000014
【図１３】
2021515731.tif 000015
【図１４】
2021515731.tif 000016
【図１５】
2021515731.tif 000017
【図１６】
2021515731.tif 000018
【図１７】
2021515731.tif 000019
【図１８】
2021515731.tif 000020
【国際調査報告】
2021515731.tif 000021
2021515731.tif 000022
2021515731.tif 000023